(57)【要約】【課題】  動作中の電子機器において、電源プラグがユーザの手により抜かれようとしたときに警告を出して、動作中の処理中断を防止する。【解決手段】  電子機器において、人の接触を検出する接触センサを備えた電送部と、電子機器がデータ通信等といった最新の動作状態を示す情報を記憶するメモリと、ユーザに警告を与えることが出来る警告通知部と、電子機器の最新動作状態情報を常にメモリに読み書きすると共に、接触センサからの人の接触の有無に関する信号とメモリから読み出した動作状態の情報とを用い、この動作状態が特定の動作を示し、かつ接触センサが人の接触を検知したときに警告を与えるマイコンとを備える。【選択図】  図１
2010092249.tif 000002
【特許請求の範囲】
【請求項１】
外部の電力供給源に接続された電送部により電力が供給される電子機器において、
前記電送部への接触を検知して接触検知情報を出力する接触検知部と、
前記電子機器が特定の動作状態のときに前記接触検知部から前記接触検知情報が出力された場合に、警告を出力するコントロール部と、を備えることを特徴とする電子機器。
【請求項２】
外部の電力供給源に接続された電送部により電力が供給される電子機器において、
前記電送部への接触を検知して接触検知情報を出力する接触検知部と、
所定の機能を実行する機能部と、
前記機能部の動作状態の情報を記憶する記憶部と、
使用者に対して警告を通知する警告通知部と、
前記機能部を制御し、該機能部の動作状態を取得して前記記憶部に記憶された前記動作状態情報を更新するとともに、前記接触検知部からの接触検知情報と前記動作情報記憶部に記憶された動作状態情報に基づいて、前記警告通知部を制御するコントロール部と、を備えることを特徴とする電子機器。
【請求項３】
請求項２に記載の電子機器において、前記電送部は、前記外部の電力源としての商用電源を前記電子機器に供給するための電源コードであり、前記接触検知部は、該電源コードのプラグ部に設けられた、接触に伴う圧力を電気信号に変換して前記接触検知情報として出力する圧電発電素子を含むことを特徴とする電子機器。
【請求項４】
請求項２に記載の電子機器において、前記接触検知部は、前記電送部に被覆された、接触の伴う圧力により静電容量が変化する接触センサと、該接触センサからの静電容量が所定値を超えた場合に前記接触検知情報を出力する静電容量検出回路と、を含むことを特徴とする電子機器。
【請求項５】
請求項４に記載の電子機器において、前記電送部は、前記外部の電力源としての商用電源を前記電子機器に供給するための電源コードであり、前記接触センサが前記電源コードに被覆されていることを特徴とする電子機器。
【請求項６】
請求項４に記載の電子機器において、前記電送部は、前記外部の電力源として他の電子機器からの電力が伝送されるＵＳＢケーブルであり、前記接触センサが前記ＵＳＢケーブルに被覆されていることを特徴とする電子機器。
【請求項７】
請求項１に記載の電子機器において、前記コントロール部は、前記記憶部に記憶された前記動作状態情報が特定の動作状態を示し、かつ前記接触検知部が前記電送部への接触を検知した場合に、前記警告通知部に警告を出力するための命令を送信することを特徴とする電子機器。
【請求項８】
請求項７に記載の電子機器において、前記警告通知部は、前記コントロール部からの前記命令に応じて警告音を出力する音声出力回路を含むことを特徴とする電子機器。
【請求項９】
請求項７に記載の電子機器において、前記警告通知部は、前記コントロール部からの前記命令に応じて発光ダイオードの転倒を制御するためのＬＥＤ制御回路を含むことを特徴とする電子機器。
【請求項１０】
請求項７に記載の電子機器において、前記警告通知部は、前記コントロール部からの前記命令に応じて表示部に警告メッセージを生じさせるための手段を含むことを特徴とする電子機器。
【請求項１１】
請求項７に記載の電子機器において、前記電子機器は、前記所定の機能として、映像データを録画媒体に記録もしくは該記録媒体から映像データを再生する機能を備えた録画再生装置であり、
前記機能部の前記特定の動作状態は、前記記録媒体に映像データを録画する動作、前記記録媒体から映像データを再生する再生する動作、前記記録媒体に映像データをコピーもしくは移動する動作、前記記録媒体に記録された映像データを編集する動作、ネットワークからの映像データを前記記録媒体にダウンロードする動作、前記記録媒体に前記映像データを録画するための録画予約が為されている場合において該録画予約を待機する動作、前記記録媒体を初期化する動作の、少なくともいずれか一つを含むことを特徴とする電子機器。
【請求項１２】
請求項７に記載の電子機器において、前記電子機器は、前記所定の機能として、デジタルテレビジョン放送信号を受信する機能を備えたテレビジョン受信装置であり、
前記機能部の前記特定の動作状態は、前記受信されたデジタルテレビジョン放送信号に含まれる当該受信装置のファームウェアを更新する動作を含むことを特徴とする電子機器。
【発明の詳細な説明】
【技術分野】
【０００１】
本発明は、例えば商用電源等の外部の電力源からの電力が供給されて所定の機能を実行する電子機器において、かかる機能の実行中に電源供給が遮断されることを防止するための技術に関する。
【背景技術】
【０００２】
電子機器が所定の機能を実行中に、該電子機器の電源プラグがコンセントから抜かれた場合、電源の供給が突発的に遮断され、各種の不具合が生じる場合がある。例えばＨＤＤ（Hard Disc Drive）等の記録媒体を備えた記録再生装置において、ＨＤＤへのアクセス中（映像データの録画、再生等）に電源プラグが抜かれると、ＨＤＤの記録データの喪失、破壊が生じる恐れがある。
【０００３】
電子機器の動作中に電源コンセントが抜かれることを防止するための従来技術としては、例えば特許文献１に記載のものが知られている。特許文献１は、電源プラグの電流を検知して電源オンを判別し、電源プラグをコンセントに固定することにより、電子機器の使用中に電源プラグがコンセントから引き抜かれることを防止する技術を開示している。
【０００４】
【特許文献１】特開２００５−２３５６７９号公報
【発明の開示】
【発明が解決しようとする課題】
【０００５】
ところで、近年の電子機器は、主電源がＯＮの通常モード以外に、主電源がＯＦＦの待機モード（スタンバイモード）でも各種の機能を実行するように為されている。スタンバイモード中に実行される機能としては、例えば、ネットワークからの映像データ（映像コンテンツ）のＨＤＤへのダウンロードや、デジタルテレビジョン放送信号に含まれる電子機器のファームウェア（電子機器の動作を制御するソフトウェア）の取得及び更新等がある。
【０００６】
上記特許文献１は、このような待機状態における所定の動作中にも電源プラグが抜かれる可能性があることを考慮していない。特許文献１に記載の技術は、電子機器の使用中（電子機器の主電源ＯＮ時）における電源プラグの電流を検出しているため、主電源がＯＦＦで消費電力が小さい（例えば、消費電力１Ｗ以下）スタンバイモードの場合は、電源プラグの電流が小さくなり、電流を検出することができない場合がある。よって特許文献１では、電子機器のスタンバイモードにおける所定機能の動作中に電源プラグが引き抜かれること、及びそれに伴う不具合を良好に防止できない。
【０００７】
本発明は、上記した技術的課題に鑑みて為されたものであり、電子機器の機能実行中に電源プラグが引き抜かれることを良好に防止すことが可能な技術を提供するものである。
【課題を解決するための手段】
【０００８】
本発明に係る電子機器は、外部の電力源に接続された電送部への接触を検知して接触検知情報を出力する接触検知部と、電子機器が特定の動作状態であり、かつ接触検知部から接触検知情報が出力された場合に警告を出力するコントロール部とを備えることを特徴とするものである。
【０００９】
上記構成から明らかなように、本発明の電子機器は、電送部（例えば電源コード）に人が接触したかを検知して接触検知情報を出力する接触検知部を備えるので、電源コードを電力供給源（例えばコンセント）から引き抜こうとしているか知ることができる。コントロール部は、接触検知部から接触検知情報を受け取ると、接触検知情報を入手した時点の機能部の動作状態を記憶部に格納されている動作状態情報から判別する。そして、当該動作状態情報が電源オフ不可状態であると判定される場合、前記警告通知部を制御し、使用者に対して所定の手法で警告を行う。これにより、所定機能の実行時に外部の電力源からの電力供給が遮断されることが防止できる。
【発明の効果】
【００１０】
本発明によれば、電子機器が通常モード、スタンバイモードに関わらず、電子機器の機能実行中に電源プラグが引き抜かれることを良好に防止すことができる。
【発明を実施するための最良の形態】
【００１１】
以下、本発明の実施の形態について図面を参照して詳細に説明する。なお、以下の図面の記載において、同一の機能を有する部分には同一の符号を付し、重複する記載は省略する。
【００１２】
また、本実施の形態では、電子機器の一つの例として、記録再生装置及び外付け型のハードディスクドライブ装置について言及するが、これに限定されるものではない。
【００１３】
また、以下では、説明を簡単とするため、電源オン状態から待機状態（スタンバイ状態）にすることを「機能電源オフ」というものとする。また、電力供給源からの電力供給を遮断することを「電源オフ」という場合もある。例えば、電源プラグを引き抜いて商用電源（ＡＣ電源：Alternating Current電源）の通電を遮断することを「電源オフ」ともいう。
【実施例１】
【００１４】
先ず、第１の実施例による電子機器の構成について説明する。この実施例においては、電子機器として、ＨＤＤ等の映像データを記録／再生するための記録媒体を有する記録再生部１１２を備えた記録再生装置を例にして、当該実施例の構成、動作等について説明する。
【００１５】
図１は、第１の実施例における記録再生装置を示すブロック図である。本実施例に係る記録再生装置１０は、例えば商用電源からの電力を記録再生装置へ電送するための電送部としての電源コード１０１と、圧電発電素子１０２と、電源回路１０３と、メモリ１０４と、演算制御手段としてのマイコン１０５と、音声出力回路１０６と、圧電ブザー部１０７と、記録再生部１１２とを含んでなる。
【００１６】
電源供給ラインとしての電源コード１０１は、図示しない外部電力供給源（ここでは、例えば、壁に設けられた商用電源ＡＣ１００Ｖを供給するコンセント）に接続され、商用電源ＡＣ１００Ｖを電源回路１０３に導く。電源コード１０１の先端にはコンセント（図示せず）に挿入するための電源プラグ１０１ａが形成されている。また、当該電源プラグ部１０１ａには、圧電発電素子１０２が設けられている。
【００１７】
圧電発電素子１０２は、圧力を電気信号に変換する素子である。圧電発電素子１０２は、生じた電気信号をマイコン１０５に出力するため、マイコン１０５に信号線１０２ａで接続されている。もし、図示しないユーザが、記録再生装置１０を電源オフ（ここでは、コンセントからの商用電源を遮断）するために、電源コード１０１を引き抜こうと電源コード１０１の電源プラグ部１０１ａを握った場合、圧電発電素子１０２は、そのときの握られた押圧力で生じた電気信号の接触検知情報Ｓ１０２を、信号線１０２ａを介してマイコン１０５に出力する。つまり、圧電発電素子１０２は接触検知部として機能する。
【００１８】
電源回路１０３は、電源コード１０１を介して入力された商用電源ＡＣ１００Ｖを整流して、スタンバイモード（待機モード）時に機能する部位に電源（直流）を供給するサブ電源回路１０３ａと、パワーオンのときのみ機能する部位に電源を供給するメイン電源回路１０３ｂとを含んでなる。本実施例では、サブ電源１０３ａはメモリ１０４，マイコン１０５，音声出力回路１０６および圧電ブザー部１０７に電源を供給し、メイン電源１０３ｂは記録再生部１１２に電源を供給する。
【００１９】
記録再生部１１２は、内部に図示しない記録媒体としての例えばＨＤＤを有し、マイコン１０５の制御の下で、内部の図示しないデジタル放送受信部で受信したデジタルテレビジョン放送信号の番組映像を映像データとして記録し、また、記録した番組映像の再生を行う。また、記録再生部１１２は、記録再生部の内部動作状態が変化する毎に、新たな動作状態を示す動作状態情報をマイコン１０５に送出する。
【００２０】
メモリ１０４は、例えば不揮発性のメモリであり、記録再生装置１０が電源オフされてもバックアップしておく必要がある情報を記憶する記憶部である。本実施例では、メモリ１０４には、後述する記録再生装置１０を電源オフしてはならない場合に該当する記録再生部１１２の動作状態情報である電源オフ不可状態情報のリストが予め格納されている。また、メモリ１０４には、記録再生部１１２の内部動作状態が変化する毎にマイコン１０５を介して、古い動作状態情報に代えて、新たな動作状態情報が上書きされて格納される。
【００２１】
音声出力回路１０６は、マイコン１０５の制御の下で、記録再生部１１２からの音声信号を出力する。また、スタンバイモード時には、マイコン１０５から入力される警告指示信号を受けて、圧電ブザー部１０７を駆動し、ユーザ（図示せず）に対してブザー音による警告を行う。また、記録再生装置の動作状態に応じた警告音声信号を出力する周知の音声合成部を内蔵しており、圧電ブザー部１０７の駆動と同時に、マイコン１０５からの警告指示信号に基づき、記録再生部１１２からの音声信号に代えて、記録再生装置の動作状態に応じた警告音声信号を発生させ、音声外部出力端子１０９から出力する。音声外部出力端子１０９から出力された警告音声信号は、音声出力が接続される例えば図示しないテレビのスピーカで警告音声として出力され、ユーザに警告を促す。このように、本実施例では、音声出力回路１０６と圧電ブザー１０７で警告通知部が構成されている。なお、音声出力回路１０６には、スタンバイモード時でも警告音声信号が出力できるように、サブ電源が供給されているので、スタンバイモード時の消費電力の増大を招く懸念がある。この場合には、音声出力回路１０６にメイン電源を供給し、圧電ブザー部１０７のみをマイコン１０５で制御するようにしてもよい。
【００２２】
圧電ブザー部１０７は、音声出力回路１０６で駆動されて警告音としてのブザー音を発生させる。勿論、マイコン１０５で直接制御されるようにしてもよい。映像表示部を有しない記録再生装置は、一般に、スピーカを備えていない。従って、音声出力回路１０６から出力される警告音声信号は例えば図示しないテレビのスピーカで警告音声に変換されるが、テレビがスタンバイ状態の場合には音声が出力されないことになる。そこで、ブザー音警告を併用する。
【００２３】
マイコン１０５は、図示しないが、所定の制御処理を行うため、演算制御を行うＣＰＵ（Central Processing Unit）と、所定の処理を行うプログラムを格納するＲＯＭ（Read Only Memory）と、ワーキング用のＲＡＭ（Random Access Memory）等を含んでなる。なお、メモリ１０４は、データを記憶しておく不揮発性メモリとして用いられている。この不揮発性メモリ１０４には、マイコン１０５の動作用ソフトウェア（ＯＳ）としてのファームウェアが格納されており、必要に応じ、デジタルテレビジョン放送信号により送信された更新用ファームウェアにより更新される。そして、記録再生装置１０を構成する各要素を制御し、所定の処理を行う。
【００２４】
次に、電源オフ不可状態における、マイコン１０５による電源オフ防止処理について説明する。この処理は、記録再生装置が通常モード及びスタンバイモードいずれのモードにおいても実行されるように為されている。スタンバイモードでかかる処理を実行するために、スタンバイモードにおいてはサブ電源１０３ａからマイコン１０５にサブ電源が供給される。
【００２５】
マイコン１０５は、その内部動作状態が変化する毎に記録再生部１１２から送出される新たな動作状態情報を取得すると、その新たな動作状態情報をメモリ１０４に格納する。ここでは、メモリ１０４に格納されている以前の古い動作状態情報に代えて、新たな動作状態情報を上書きして格納する。
【００２６】
また、マイコン１０５は、圧電発電素子１０２からの接触検知情報Ｓ１０２を常時監視しており、接触検知情報Ｓ１０２を取得すると、メモリ１０４に格納されている、現在の記録再生部１１２の動作状態情報、および、記録再生装置１０を電源オフしてはならない場合に該当する電源オフ不可状態情報を読み出し、現在の記録再生部１１２の動作状態情報が電源オフ不可状態情報に含まれるか判別する。
【００２７】
ここで、図３を用いて、電源オフ不可状態情報について説明しておく。図３は、電源オフ不可状態情報、すなわち電源供給の遮断を防止すべき特定機能の一例を示すリストである。図３から明らかなように、電源オフ不可状態は、記録再生部１１２に内蔵される記憶媒体としてのＨＤＤがアクセスされている動作状態の場合に該当する。例えば、図３の（１）項の映像データの再生状態である時、（２）項の映像データの録画状態である時、（４）項の例えば図示しないＨＤＤからＤＶＤへ映像データのダビング（含ムーブ／コピー）している時、（５）項の記録データを編集している時、（６）項の記録媒体の初期化を行っている時、（７）項の図示しないネットワークを介して所望映像データ（映像コンテンツ）をダウンロードしてＨＤＤに格納している時、（８）項の例えば記録再生部１１２の図示しないデジタル放送受信部を介してデジタルテレビジョン放送信号から取得した電子機器を制御するためのファームウェア（制御プログラム）のアップデートしている時などである。例外として、（３）項の録画予約して記録再生装置１０が待機状態にある場合がある。
【００２８】
上記（１）〜（８）の機能のうち、（３）、（６）、（７）、（８）は記録再生装置がスタンバイモードのときにも実行されるものであり、特に（６）及び（８）の機能は、スタンバイモードでもＨＤＤへアクセスする機能なので、アクセス中に電源供給が遮断された場合の記録データの喪失や破壊を防止するために、本実施例では、当該機能を電源供給の遮断を防止すべき特定機能としてリストアップしている。また（８）の機能は、ファームウェアのアップロード中に電源が遮断されるとアップロードが最後まで行えず、これ以降の記録再生装置の動作に大きな支障が生じる可能性があるため、当該機能を電源供給の遮断を防止すべき特定機能としてリストアップしている。
【００２９】
このように本実施例は、通常モード以外にもスタンバイモードで実行される特定機能も監視しておき、この特定機能の実行中に電源コードに人が接触した際に警告できるようにしている。これにより、記録再生装置が通常モード、スタンバイモードであるにも拘らず、当該記録再生装置の動作状態に応じた警告をすることが可能となる。
【００３０】
再び継続して、マイコン１０５の電源オフ防止処理について説明する。マイコン１０５は、現在の記録再生部１１２の動作状態情報が図３で述べた電源オフ不可状態情報リストに含まれないならば、何の処理を行わず、ユーザによる電源プラグの引き抜きを了承する。
【００３１】
もし、現在の記録再生部１１２の動作状態情報が図３で述べた電源オフ不可状態情報リストに含まれるならば、マイコン１０５は電源オフしてはならない場合に該当する電源オフ不可状態であると判別する。そして、マイコン１０５は、音声回路１０６に対して警告指示信号を出力する。音声回路１０６は、マイコン１０５から入力される警告指示信号を受けて、圧電ブザー部１０７を駆動し、警告音を発生させ、ユーザに警告を促す。また、音声回路１０６は、同時に、記録再生装置の動作状態に応じた警告音声信号を発生させ、音声外部出力端子１０９から出力し、音声出力が接続される例えば図示しないテレビのスピーカを介してユーザに警告を促す。
【００３２】
次に、上記したマイコン１０５による電源オフ防止処理について、上記した説明と一部重複するが、図２を用いて説明する。
【００３３】
図２は、本実施例による電源オフ防止処理の一例を示すフロー図である。図２において、まず、マイコン１０５は、ステップ（以下、ステップを「ＳＴ」と略記する）１０１で、接触検知部としての圧電発電素子１０２からの接触検知情報Ｓ１０２が有るか判定する。
【００３４】
そして、マイコン１０５は、判定がＮｏ（いいえ）で、接触検知情報Ｓ１０２が無ければ、何の処理も行わず、電源オフ防止処理を終了する。また、判定がＹｅｓ（はい）で、接触検知情報Ｓ１０２が有ると、ＳＴ１０２に進み、メモリ１０４から読み出した現在の記録再生部１１２の動作状態がメモリ１０４に格納されている電源オフ不可状態情報リストに含まれるか判別する。
【００３５】
マイコン１０５は、ＳＴ１０２の判定がＹｅｓ（はい）で、記録再生部１１２の動作状態がメモリ１０４に格納されている電源オフ不可状態情報リストに含まれ、電源オフ不可状態であれば、ＳＴ１０３に進み、ブザー音や機器の動作状態を知らせる音声により警告し、電源オフ防止処理を終了する。また、ＳＴ１０２の判定がＮｏ（いいえ）で、電源が遮断されても良い状態であれば、何の処理も行わず、電源オフ防止処理を終了する。マイコン１０５は、上記した図２に示す処理を逐次実行し、的確に電源コードの引き抜きを防止する。
【００３６】
以上のように、本実施例によれば、記録再生部のＨＤＤ（図示せず）がアクセスされている状態であるときに、ユーザによって電源コードの電源プラグがコンセントから引き抜かれようとすると、警告を行うので、ＨＤＤの破壊やデータの喪失を回避することが可能となる。逆にいえば、ＨＤＤがアクセスされてなくて、電源オフ不可状態でなければ、電源オンやスタンバイモードにかかわらず、ユーザは安心して電源プラグをコンセントから引き抜くことができるといえる。また、録画予約待機中に電源プラグが引き抜かれようとしても、マイコン１０５，メモリ１０４，音声出力回路１０６，圧電ブザー１０７にはサブ電源が供給されて動作しているので、警告することができ、録画ができなくなることを回避することができる。本実施例では、かかる警告が通常モード及びスタンバイモードに関係なく実行されるので、スタンバイモードでの特定機能実行中に電源コードが引き抜かれて電源遮断が生じ、ＨＤＤの記録データの破壊や喪失等の各種の不具合の発生を防止できる。このように、本実施例によれば、記録再生装置が通常モード、スタンバイモードであるにも拘らず、当該記録再生装置が実行している動作が電源の遮断が防止されるべき特定の動作であるかを判定し、更に電源コードへの人の接触の有無に応じて警告を発することが可能となる。従って、記録再生装置のモードに関係なく、記録再生装置の動作状態に応じた適切な警告をすることできる。
【００３７】
なお、本実施例では、ブザー音や音声により警告を行うようにしたが、これに限定されるものではない。記録再生装置に文字表示部や発光ダイオードを備えるときには、文字表示部や発光ダイオードを用いて、あるいは併用して、警告してもよい。また、電子機器が映像表示部を有するテレビジョン受像機などの場合、映像表示部を用いて、例えば「電源コードを抜かないで下さい」等の警告メッセージを表示するようにしてもよい。あるいは、この警告メッセージの表示と上述した音声や発光ダイオードと併用して、警告を行うようにしてもよい。
【実施例２】
【００３８】
次に第２の実施例について、図４，図５を用いて説明する。図４は、第２の実施例における記録再生装置を示すブロック図である。図５は、第２の実施例に係わる接触センサ部を備える電源ケーブルの断面構造図である。なお、第２の実施例においても、電子機器が記録再生装置であるとする。
【００３９】
第２の実施例の記録再生装置１０Ａは、第１の実施例の記録再生装置１０とは、接触検知部としての圧電発電素子１０２を、電源コードを被覆する接触センサ部と静電容量検出回路とで構成する点で異なる。
【００４０】
以下では、第２の実施例において、第１の実施例と同じ機能を有する要素には同一な符号を付して示し、その重複する説明を省略し、異なる機能を有する要素に着目して説明する。なお、図４において、マイコンの符号は１０５Ａとしている。これは、マイコンに後述する静電容量検出回路４２０から接触検知情報Ｓ４２０が入力されるので符号１０５の後にＡを添えて示している。その処理内容には変更がないので、マイコン１０５Ａについては詳細な説明を省略する。
【００４１】
図４に示すように、接触センサ付き電源ケーブル４００は、電力を記録再生装置１０Ａに供給する電送部としての電源コード４０１と、電源コード４０１のコード部を被覆するように形成された接触センサ部４０２とで構成されている。
【００４２】
電送部としての電源コード４０１は、図示しない外部電力供給源（ここでは、例えば、商用電源ＡＣ１００Ｖを供給するコンセント）に接続され、商用電源ＡＣ１００Ｖを電源回路１０３に導く。
【００４３】
接触センサ部４０２は、電源コード４０１のコード部を被覆するように形成されている。被覆する範囲は、ユーザが電源コードを引き抜こうとしたときに掴むと考えられる範囲であり、例えば、電源コード４０１の電源プラグの根元から記録再生装置筐体壁面の固定部１２５までである。ユーザが手で接触センサ付き電源ケーブル４００の電源プラグを握ろうとすると、電源プラグのみならず電源プラグの根元部分のコード部も握ることになる。従って、接触センサ部４０２の被覆範囲は、電源プラグの根元から１０ｃｍ程度の範囲でもよい。しかしながら、電源コード４０１の途中を持って図示しないコンセントから引き抜くユーザも想定されるので、ここでは、記録再送装置１０Ａの外側に露出している範囲としている。
【００４４】
電源コード４０１を被覆する接触センサ部４０２は、例えば、図５に示すような断面構造になっている。すなわち、接触センサ部４０２は、電源コード４０１の上に形成された第１層をなす柔軟な絶縁部４０２ｃと、その上に形成された第２層をなす柔軟な導電部Ａ層４０２ａと、導電部Ａ層４０２ａの上に形成された第３層をなす柔軟な絶縁部４０２ｃと、その上に形成された第４層をなす柔軟な導電部Ｂ層４０２ｂと、導電部Ｂ層４０２ｂの上に形成された第５層をなす柔軟な絶縁部４０２ｃとからなり、同軸状に構成されている。
【００４５】
従って、絶縁部４０２ｃに外部からの押圧力が掛かると、導電部Ａ層４０２ａと導電部Ｂ層４０２ｂ間の距離が縮まり、この変形に伴って導電部Ａ層４０２ａと導電部Ｂ層４０２ｂ間の静電容量が増加することになる。この静電容量の増加を後述する静電容量検出回路４２０で検出することによって、接触センサ付き電源ケーブル４００がユーザによって把持されたことを検出することができる。
【００４６】
このように構成された接触センサ付き電源ケーブル４００は、記録再生部１０Ａの筐体壁面の固定部１２５で固定され、記録再生部１０Ａの内部に引き込まれている。そして、電源コード４０１は電源回路１０３に接続されている。また、接触センサ部４０２の導電部Ａ層４０２ａおよび導電部Ｂ層４０２ｂは、固定部１２５側で静電容量検出回路４２０に接続されている。
【００４７】
静電容量検出回路４２０は、接触センサ部４０２の導電部Ａ層４０２ａと導電部Ｂ層４０２ｂとの間の静電容量を検出し、当該静電容量が、接触センサ付き電源ケーブル４００がユーザによって把持された場合に対応する所定の閾値を超えると、接触検知情報Ｓ４２０を、信号線４２０ａを介してマイコン１０５に出力する。
【００４８】
本実施例による記録再生装置１０Ａは、上記のように構成されているので、ユーザによって、接触センサ付き電源ケーブル４００が把持されると、接触センサ付き電源ケーブル４００に備わる接触センサ部４０２の導電部Ａ層４０２ａと導電部Ｂ層４０２ｂ間の静電容量が増加する。この場合、その増加した静電容量値が、静電容量検出回路４２０で設定されている所定閾値を超えることになるので、静電容量検出回路４２０は、把持されたことを知らせる接触検知情報Ｓ４２０をマイコン１０５に送出する。これにより、マイコン１０５は接触センサ付き電源ケーブル４００が把持されたと判断し、第１の実施例と同様な処理を行い、警告を発する。これにより、第１の実施例と同じ効果を達成することができる。
【００４９】
当然、電源コード４０１のプラグに実施例１と同様な圧電発電素子を設け、コード（ライン）部に本実施例の接触センサ部４０２を設けるようにしてもよい。
【実施例３】
【００５０】
次に、第３の実施例について説明する。第３の実施例では、電子機器として、ＰＣ（パーソナルコンピュータ）に接続して使用される外付け型のハードディスクドライブ装置を用い、外付け型のハードディスクドライブ装置に本発明を適用した実施例を示す。つまり、請求項１に係る電子機器の電力を電送するための電送部としてのＵＳＢケーブルを用いた実施例を説明するものである。
【００５１】
図６は、第３の実施例における記録再生装置を示すブロック図である。図６に示すように、本実施例の外付け型のハードディスクドライブ装置６０は、接触センサ付きＵＳＢケーブル６００と、電源回路６０３と、メモリ６０４と、マイコン６０５と、ＬＥＤ（Light Emitting Diode：発光ダイオード）駆動回路６０６と、ＨＤＤ記録部６１２と、静電容量検出回路６２０とを含んでなる。
【００５２】
本実施例の接触センサ付きＵＳＢケーブル６００は、ＰＣ６１とハードディスクドライブ装置６０とを接続するケーブルであり、その先端部にＰＣ６１のＵＳＢコネクタ挿入口（図示せず）に嵌合するＵＳＢコネクタ６０１1を備えるＵＳＢケーブル６０１と、ＵＳＢケーブル６０１のケーブル部を被覆するように形成された接触センサ部６０２とで構成されている。
【００５３】
電送部としてのＵＳＢケーブル６０１は、その内部に、ＰＣ６１のＵＳＢコネクタ挿入口（図示せず）から直流電力が供給されるＵＳＢ電力線６０１ａと、ＰＣ６１とデータ通信を行うための２本の＋信号線６０１ｂ１及び−信号線６０１ｂ２で構成される通信線６０１ｂと、を含んでなる。そして、これらの線間は相互に絶縁されている。
【００５４】
なお、本実施例においては、ハードディスクドライブ装置６０を、接触センサ付きＵＳＢケーブル６００を介してＰＣ６１に接続した際、ＰＣ６１が当該接続を検出し、ＵＳＢケーブル６０１のＵＳＢ電力線６０１ａにＤＣ電力が供給されるものとする。また、ハードディスクドライブ装置６０への電力供給は、ＰＣによって制御されるものとする。
【００５５】
接触検知部として機能する接触センサ部６０２は、ＵＳＢケーブル６０１のケーブル部を被覆するように形成されている。被覆する範囲は、ユーザが接触センサ付きＵＳＢケーブル６００を引き抜こうとしたときに掴むと考えられる範囲とする。例えば、接触センサ付きＵＳＢケーブル６００のＵＳＢコネクタの根元からハードディスクドライブ装置筐体壁面の固定部６２５までの、ハードディスクドライブ装置６０の外側に露出している範囲とする。
【００５６】
接触センサ部６０２の構成は、図５の構成において、被覆する対象が、電源コードからＵＳＢケーブルに置き換わったものとする。そこで、その構成の説明は省略するが、接触センサ付きＵＳＢケーブル６００がユーザによって把持されると、接触センサ部６０２内の図示しない導体部層間で形成される静電容量が増加することになる。接触センサ部６０２内の図示しない２つの導体部層は、第２の実施例と同様に、静電容量検出回路６２０に接続されており、静電容量の増加を静電容量検出回路６２０で検出することによって、接触センサ付きＵＳＢケーブル６００がユーザによって把持されたことを検出することができる。つまり、接触センサ部６０２は接触検知部として機能する。
【００５７】
接触センサ付きＵＳＢケーブル６００は、ハードディスクドライブ装置６０の筐体壁面に設けられた固定部６２５で固定され、内部に引き込まれた後、その内のＵＳＢ電力線６０１ａは電源回路６０３に接続され、通信線６０１ｂ（＋信号線６０１ｂ１および−信号線６０１ｂ２）はマイコン６０５に接続される。
【００５８】
電源回路６０３は、接触センサ付きＵＳＢケーブル６００を介してＰＣ６１から供給された直流電力を、内部の図示しないＤＣ−ＤＣコンバータで所定電圧の直流電源に変換し、メモリ６０４，マイコン６０５，ＬＥＤ駆動回路６０６，ＨＤＤ記録部６１２および静電容量検出回路６２０に供給する。
【００５９】
ＨＤＤ記録部６１２は、内部に図示しない例えばＨＤＤを有し、マイコン６０５の制御の基で、信号線６０１ｂ（＋信号線６０１ｂ１，−信号線６０１ｂ２）を経由してマイコン６０５とＰＣとの間で送受信されるデータを記録し、また、記録したデータを読み出す。また、ＨＤＤ記録部６１２は、ＨＤＤ記録部の内部動作状態が変化する毎に、新たな動作状態を示す動作状態情報をマイコン６０５に送出する。
【００６０】
メモリ６０４は、例えば不揮発性のメモリであり、ハードディスクドライブ装置６０が電源オフされてもバックアップしておく必要がある情報を記憶する記憶部である。本実施例では、メモリ６０４には、接触センサ付きＵＳＢケーブル６００をＰＣから引き抜いて、ＰＣから接触センサ付きＵＳＢケーブル６００に供給される直流電力を遮断してはならない場合に該当するＨＤＤ記録部６１２の動作状態情報である電源オフ不可状態情報のリスト(図示せず)が予め格納されている。また、メモリ６０４には、ＨＤＤ記録部６１２の内部動作状態が変化する毎にマイコン６０５を介して、古い動作状態情報に代えて、新たな動作状態情報が上書きされて格納される。なお、電源オフ不可状態情報のリストは、ＨＤＤがアクセス（記録，読み出し）されている動作状態を示すリストであり、ほぼ図３に同様であり、その説明を省略する。但し、本実施例では録画予約待機モードを持たない。
【００６１】
ＬＥＤ駆動回路６０６は、マイコン６０５の制御の基で、マイコン６０５から入力される警告指示信号を受けて、ＬＥＤ素子６０３を点滅するように駆動して、ユーザ（図示せず）に対してＬＥＤ素子６０３点灯による警告を行う。警告を行う点灯は、光の点滅が好ましいが、これに限定するものではなく、連続点灯であってもよい。勿論、第１の実施例で用いた圧電ブザーなどを併用してもよい。
【００６２】
静電容量検出回路６２０は、第２の実施例の静電容量検出回路と同じである。その機能は、第２の実施例で述べたように、接触センサ部６０２内の図示しない２つの導体部層間で形成される静電容量を検出し、当該静電容量が、接触センサ付きＵＳＢケーブル６００がユーザによって把持された場合に対応する所定の閾値を超えると、接触検知情報Ｓ６２０を、信号線６２０ａを介してマイコン６０５に出力する。
【００６３】
マイコン６０５は、図示しないが、所定の制御処理を行うため、演算制御を行うＣＰＵと、所定の処理を行うプログラムを格納するＲＯＭと、ワーキング用のＲＡＭ等を含んでなる。なお、メモリ６０４は、データを記憶しておく不揮発性メモリとして用いられている。そして、ハードディスクドライブ装置６０を構成する各要素を制御して、所定の処理を行う。例えば、マイコン６０５は、接触センサ付きＵＳＢケーブル６００が図示しないユーザによって引き抜かれることを防止するため、電源オフ防止処理を行う。電源オフ防止処理は、図２に示すフロー図と同様であり、その詳細な説明を省略する。
【００６４】
本実施例によるハードディスクドライブ装置６０は、上記のように構成されているので、第１の実施例の図２のフロー図と同様な電源オフ防止処理を行うことができる。具体的には、ユーザによって、接触センサ付きＵＳＢケーブル６００が把持されると、接触センサ部６０２内の導電部層間の静電容量が増加する。この場合、その増加した静電容量値が、静電容量検出回路６２０で設定されている所定閾値を超えることになるので、静電容量検出回路６２０は、把持されたことを知らせる接触検知情報Ｓ６２０をマイコン６０５に送出する。これにより、マイコン６０５は、接触センサ付きＵＳＢケーブル６００が把持されたと判断し、ＨＤＤ記録部６１２がＨＤＤをアクセスしている状態（電源オフ不可状態）であれば、警告を発する。これにより、第１の実施例と同じ効果を達成することができる。
【００６５】
尚、本実施例では電力供給源としてＰＣを例に挙げているが、ＵＳＢ接続端子、若しくは電力を供給する他のインターフェース端子を持ってさえいればどのような機器でも電力供給源として使用できることは明白である。
【図面の簡単な説明】
【００６６】
【図１】第１の実施例に係る記録再生装置を示すブロック図である。
【図２】第１の実施例に係る電源オフ防止処理の一例を示すフロー図である。
【図３】電源オフ不可状態情報の一実施例を示すリストである。
【図４】第２の実施例に係る記録再生装置を示すブロック図である。
【図５】第２の実施例に係る接触センサ部を備える電源ケーブル断面図である。
【図６】第３の実施例に係る記録再生装置を示すブロック図である。
【符号の説明】
【００６７】
１０，１０Ａ  記録再生装置
１０１  電源コード
１０１ａ  電源プラグ
１０２  圧電発電素子
１０２ａ  信号線
Ｓ１０２  接触検知情報
１０３  電源回路
１０３ａ  サブ電源回路
１０３ｂ  メイン電源回路
１０４  メモリ
１０５，１０５Ａ  マイコン
１０６  音声出力回路
１０７  圧電ブザー部
１０９  音声外部出力端子
１１２  記録再生部
１２５  固定部
４００  接触センサ付き電源ケーブル
４０１  電源コード
４０２  接触センサ部
４０２ａ  導電部Ａ層
４０２ｂ  導電部Ｂ層
４０２ｃ  絶縁部
４２０  静電容量検出回路
４２０ａ  信号線
Ｓ４２０  接触検知情報
６０  ハードディスクドライブ装置
６１  ＰＣ（パーソナルコンピュータ）
６００  接触センサ付きＵＳＢケーブル
６０１  ＵＳＢケーブル
６０１1  ＵＳＢコネクタ
６０１ａ  ＵＳＢ電力線
６０１ｂ  通信線
６０２  接触センサ部
６０３  電源回路
６０４  メモリ
６０５  マイコン
６０６  ＬＥＤ駆動回路
６０８  ＬＥＤ素子
６１２  ＨＤＤ記録部
６２０  静電容量検出回路
６２０ａ  信号線
Ｓ６２０  接触検知情報
６２５  固定部
【図１】
2010092249.tif 000003
【図２】
2010092249.tif 000004
【図３】
2010092249.tif 000005
【図４】
2010092249.tif 000006
【図５】
2010092249.tif 000007
【図６】
2010092249.tif 000008